(57)【要約】      （修正有）【課題】  従来のシート材シール装置においては、ケースを嵌合させた状態で周面にシート材を配設し、該ケースを反転させることなく、シート材の弛みを防止しつつ該シート材の両端部をシールすること。【解決手段】  ケースを整列させて供給するケース供給手段と、ケース供給手段からケースを１個ずつピックアップしてシール位置へ移送する移送手段と、シール位置へシート材を所要大きさに切断して供給するシール材供給手段と、シール位置に前記ケースの厚みに略対応する押し込み開口部を有するガイド部と、ガイド部の上部にケースの上端縁に当接して下降する上下動自在な押し込み手段と、ガイド部の両側に配設されたシール用ヒーターと、シート材の弛みを防止する押さえ手段とを備えたことにより、ケースを嵌合させた状態で周面にシート材を配設し、ケースを反転させることなく、シート材の弛みを防止しつつシート材の両端部をシールすることができるようになる。【選択図】図１
0003101221.tif 000002
【実用新案登録請求の範囲】
【請求項１】
ディスクまたはビデオテープが収納されるケースの周面に透明なシート材を配設し、該シート材の両端部をシールしてジャケット収納部を形成するシート材シール装置であって、
前記ケースを整列させて供給するケース供給手段と、
該ケース供給手段からケースを１個ずつピックアップしてシール位置へ移送する移送手段と、
該シール位置へシート材を所要大きさに切断して供給するシール材供給手段と、
該シール位置に前記ケースの厚みに略対応する押し込み開口部を有するガイド部と、
該ガイド部の上部にケースの上端縁に当接して下降する上下動自在な押し込み手段と、
該ガイド部の両側に配設されたシール用ヒーターと、
シート材の弛みを防止する押さえ手段とを備えたこと
を特徴とするシート材シール装置。
【請求項２】
前記ガイド部は、前記切断されたシート材の位置決めをする水平なテーブル面と、押し込み開口部に配設されシート材の弛みを防止する垂直な弛み防止板とからなること
を特徴とする請求項１に記載のシート材シール装置。
【請求項３】
前記ガイド部の下方に押し込まれたケースの下部を押さえてシート材の弛みを防止する弛み防止補助手段と、
シールされたケースを突き出す突き出し手段とを備えたこと
を特徴とする請求項１または２に記載のシート材シール装置。
【考案の詳細な説明】
【技術分野】
【０００１】
本考案は、例えば、ＣＤ、ＤＶＤ等のディスクまたはビデオテープ等を収納するケースの周面に透明なシート材をシールするシート材シール装置に関するものである。
【背景技術】
【０００２】
従来、ＣＤ、ＤＶＤ等のディスクを収納するケースの周囲にシート材を配設したものとしては、例えば、一枚の合成樹脂製などの細長いシートと、このシートの裏面片端から中央方向に向け、かつ中央方向端が開放するように設けた袋シートと、シートの裏面もう片端に中央方向端が開放するように設けた袋部とで構成したディスクケース用のカバーがある。
【特許文献１】特開平１０−２１１９８２号公報（第２頁〜３頁）
【０００３】
この特許文献１の従来の考案に記載された公知技術においては、屈曲させたシート材をシールして袋シートと、袋部とを形成したカバーを使用し、該カバーの袋シートと袋部とにそれぞれディスクケースの端部を挿入して、該ディスクケースの周囲に前記カバーを配設させるものである。
【考案の開示】
【考案が解決しようとする課題】
【０００４】
しかしながら、前記特許文献１の従来の考案に記載された公知技術においては、ディスクケースの周囲にカバーを配設させる工程が困難で時間を要するものであるため、コストがかかると共に、カバーまたはディスクケースを破損させることがあり、ディスクケースの表面側（周面）に、該ディスクケースに収納されたディスクの情報を表示するジャケット等を収納させようとした場合には、前記ディスクケースの周囲にカバーを配設させる工程がより困難になるため、該カバーは単なる傷つき防止用として使用されることが多く、ジャケット等を収納させる場合には、別途ジャケット収納部を形成しなければならないという問題点を有する。
【０００５】
前記問題点は、ディスクケースの周囲に直接カバーをシールできれば解決されるが、この種のカバーを製造するシール装置においては、一般的に、一枚の合成樹脂製等のシート材を屈曲させた状態で周囲をシールして袋シートと、袋部とを形成させる工程であるため、ケースの周面にシート材をシールしようとした場合には、該ケースの内側の形状が複雑であり、段差を有する等の理由により、ケースを開いた状態ではシールすることが困難であるため、ケースの片面をシールした後、該ケースを反転させて他面をシールする必要があり、シール工程が複雑になると共に、該シールが弛むことがあるという問題点を有している。
【０００６】
従って、従来のシート材シール装置においては、ケースを嵌合させた状態で周面にシート材を配設し、該ケースを反転させることなく、シート材の弛みを防止しつつ該シート材の両端部をシールするということに解決しなければならない課題を有している。
【課題を解決するための手段】
【０００７】
上記した従来例の課題を解決する具体的手段として本考案に係るシート材シール装置は、ディスクまたはビデオテープが収納されるケースの周面に透明なシート材を配設し、該シート材の両端部をシールしてジャケット収納部を形成するシート材シール装置であって、前記ケースを整列させて供給するケース供給手段と、該ケース供給手段からケースを１個ずつピックアップしてシール位置へ移送する移送手段と、該シール位置へシート材を所要大きさに切断して供給するシール材供給手段と、該シール位置に前記ケースの厚みに略対応する押し込み開口部を有するガイド部と、該ガイド部の上部にケースの上端縁に当接して下降する上下動自在な押し込み手段と、該ガイド部の両側に配設されたシール用ヒーターと、シート材の弛みを防止する押さえ手段とを備えたことを最も主要な特徴とする。
【０００８】
この考案において、前記ガイド部は、前記切断されたシート材の位置決めをする水平なテーブル面と、押し込み開口部に配設されシート材の弛みを防止する垂直な弛み防止板とからなること；前記ガイド部の下方に押し込まれたケースの下部を押さえてシート材の弛みを防止する弛み防止補助手段と、シールされたケースを突き出す突き出し手段とを備えたこと；を付加的な要件として含むものである。
【考案の効果】
【０００９】
以上説明したように、本考案に係るシート材シール装置は、ディスクまたはビデオテープが収納されるケースの周面に透明なシート材を配設し、該シート材の両端部をシールしてジャケット収納部を形成するシート材シール装置であって、前記ケースを整列させて供給するケース供給手段と、該ケース供給手段からケースを１個ずつピックアップしてシール位置へ移送する移送手段と、該シール位置へシート材を所要大きさに切断して供給するシール材供給手段と、該シール位置に前記ケースの厚みに略対応する押し込み開口部を有するガイド部と、該ガイド部の上部にケースの上端縁に当接して下降する上下動自在な押し込み手段と、該ガイド部の両側に配設されたシール用ヒーターと、シート材の弛みを防止する押さえ手段とを備えたことにより、ケースを嵌合させた状態で周面にシート材を配設し、該ケースを反転させることなく、シート材の弛みを防止しつつ該シート材の両端部をシールできるため、ケースの両端部にシート材を容易にシールできるという優れた効果を奏する。
【考案を実施するための最良の形態】
【００１０】
次に、本考案を具体的な実施の形態に基づいて詳しく説明する。
本考案の実施の形態に係るシート材シール装置を図１〜図６を用いて説明する。シート材シール装置を略示的に示した平面図を図１に示し、その要部のみを拡大して示した略示的な斜視図を図２に示してある。シート材シール装置１には、ＣＤ、ＤＶＤ等のディスクまたはビデオテープ等が収納される複数のケース２が整列した状態でケース供給手段３上に列立している。
【００１１】
このケース供給手段３としては、例えば、コンベアーまたはローラー等を使用することができ、該ケース供給手段３上にケース２を複数整列させ、該ケース２を継続的に搬送して供給するのである。
【００１２】
ケース供給手段３により搬送・供給されたケース２は、移送手段４により１個ずつピックアップされる。該移送手段４は、レール５上に配設されており、該レール５上を摺動自在に移動することができるようになっている。
【００１３】
移送手段４は、レール５上を摺動してケース供給手段３とガイド部６のテーブル面７上とを往復移動するため、ケース供給手段３からケース２を１個ずつピックアップした移送手段４は、ガイド部６のテーブル面７上に移動して、該ケース２をシール位置８へ移送させるのである。
【００１４】
この移送手段４には、例えば、クッション性を有する吸引パッド９等の吸引または吸着手段を配設させており、該吸引パッド９によりケース２を吸引した状態で移送させるため、該ケース２の周面を傷付けることがないのである。
【００１５】
また、シート材シール装置１に配設されたモーター１０の回転軸１１には、透明なシート材１２が巻き付けられている。この透明のシート材１２は、例えば、樹脂等で形成された透明のシート材等を使用することができ、該透明なシート材を図示していない芯用ロール紙等に巻き付けた状態で、前記回転軸１１に配設して固定させるのである。
【００１６】
モーター１０の回転軸１１に巻き付けられた透明なシート材１２は、長いシートの状態のままでシール材供給手段１３を介してガイド部６のテーブル面７上に搬送される。
【００１７】
このシール材供給手段１３は、例えば、図２に示してあるように、シート材１２を搬送する複数のシート材搬送ローラー１４と、該シート材１２を所要の大きさ分だけ送り出すシート材定寸送りローラー１５と、該シート材定寸送りローラー１５により所要の大きさ送り出されたシート材１２を切断するカッター１６とから構成されている。
【００１８】
シート材搬送ローラー１４は、複数箇所でシート材１２を折り返しながら搬送することにより、該シート材１２に皺や弛みが生じないようにしながら搬送するものであるが、その一部を、例えば、上下動するダンシングローラー１４ａにしても良く、このようにシート材搬送ローラー１４の一部にダンシングローラー１４ａを配設させることによって、前記シート材１２に張力を付与して、該シート材１２に皺や弛みが生じることをより一層防止することができるようになる。
【００１９】
シール材供給手段１３により所要の大きさに切断されたシート材１２は、該シート材１２自体がある程度の硬度を有しているため、途中で捲れあがること等がなく、ガイド部６の水平なテーブル面７上、即ちシール位置８にスムーズに供給されて位置決めされるようになる。このテーブル面７には、例えば、複数の小孔を形成し、該小孔を介してシート材１２を吸引し、該シート材１２をテーブル面７に吸着させるようにしても良い。
【００２０】
このガイド部６は、例えば、水平なテーブル面７と、垂直な弛み防止板１７とからなり、該ガイド部６の水平なテーブル面７のシール位置８には、ケース２の厚みに略対応する、即ち該ケース２の厚みより稍幅広の押し込み開口部１８が形成されている。
【００２１】
押し込み開口部１８の上方には、図３に示したように、上下動自在な押し込み手段１９が配設されており、移送手段４によりシール位置８、即ちガイド部６の水平なテーブル面７に形成された押し込み開口部１８上に移送されたケース２の上端縁には、該ガイド部６の押し込み開口部１８の上部且つ該移送されたケース２の上部に配設されている前記押し込み手段１９が下降して当接し、該押し込み手段１９が更に下降することにより、前記ケース２は、前記ガイド部６に形成された押し込み開口部１８内に透明なシート材１２と共に押し込まれることになる。
【００２２】
この押し込み手段１９においては、ケース２の上端縁に当接した状態で下降して、該ケース２を押し込み開口部１８内に押圧するために用いるため、該押し込み開口部１８よりも小さく形成してあれば良いが、ケース２の上端縁の全体に当接して均等に押圧させるために、少なくとも押し込み手段１９の下端縁を該ケース２の上端縁と略同一の大きさに形成することが好ましい。
【００２３】
押し込み開口部１８には、ケース２の下端縁と略同一の大きさに形成された支持部材２０が上下動可能な状態で配設されている。この支持部材２０は、押し込み手段１９によって押圧されて押し込まれたケース２の下端縁と当接して支持しつつ前記押し込み手段１９の押圧力により該ケース２と共に下降するものである。
【００２４】
透明なシート材１２は、ケース２と共に押し込み開口部１８内に押し込まれ没入する際、該押し込み開口部１８がケース２の厚みに略対応しており、該ケース２が押し込み手段１９によりその上端縁を押圧されて押し込み開口部１８内に押し込まれると共に、該ケース２の下端縁に支持部材２０の上端縁が当接して該ケース２を支持しているため、前記ケース２に密着した状態で該押し込み開口部１８内に押し込まれることになり、該ケース２の周囲に配設されることになる。
【００２５】
ガイド部６の水平なテーブル面７の下側には、該テーブル面７に形成された押し込み開口部１８の長さ方向と平行に垂直な弛み防止板１７が配設されているため、ケース２に密着した透明なシート材１２は、弛むことがなく、密着状態を維持したまま、ケース２と共に更にガイド部６の下部側へと押し込まれる。
【００２６】
ガイド部６に配設された垂直な弛み防止板１７の下側近傍には、図４に示したように、該ガイド部６の両側に配設されケース２の両端部にシート材１２をシール（熱シール）するためのシール用ヒーター２１が配設され、該シール用ヒーター２１の下側には、押し込まれたケース２の両側面を押さえてシート材２の弛みを防止する一対の押さえ手段２２が配設され、該押さえ手段２２の下側、即ち前記ガイド部６の下方には、押し込まれたケース２の下部を押さえてシート材１２の弛みを防止する弛み防止補助手段２３が配設され、該弛み防止補助手段２３の一方の側には、ケース２を突き出す突き出し手段２４が配設されている。
【００２７】
この押さえ手段２２には、例えば、バネ等の弾性体２５が配設されているため、該弾性体２５により押し込まれたケース２の両側面に、適当な押圧力を付与して、該ケース２の周囲に配設されたシート材１２の弛みを防止するのである。
【００２８】
図５に示したように、押し込み手段１９によりケース２がガイド部６に配設された垂直な弛み防止板１７の下端まで押し込まれると、該ケース２を支持部材２０で支持し、且つ押さえ手段２２と弛み防止補助手段２３とで押さえた状態で、ケース２の端縁部に位置するシート材１２の両端部にシール用ヒーター２１を接触させて加熱し、該ケース２の両側の端縁部とシート材１２の両端部とを融着させてシール（熱シール）するのである。
【００２９】
このように、ケース２を嵌合させた状態のままで該ケース２の周面にシート材１２を配設し、該ケース２を反転させることなく、該シート材１２の弛みを防止しつつ該シート材１２の両端部をシールすることができるのである。
【００３０】
ケース２の両側の端縁部にシート材１２の両端部がシールされると、図６に示したように、シール用ヒーター２１がシート材１２から離れると共に、押し込み手段１９が上昇してケース２から離れ、押さえ手段２２もケース２の両側面から離れることになる。
【００３１】
その後、弛み防止補助手段２３が下降してケース２から離れると、不安定な状態の該ケース２の一方の側面、例えば、ケース２の一方の側面の下部側を突き出し手段２４で突き出す。その突き出した方向には、図示はしていないが、緩やかに傾斜した排出用板が配設されており、シート材１２がシールされたケース２は、該排出用板上を滑って排出されるのである。
【００３２】
図７に、シート材１２の両端部２６がシールされたケース２の略示的な斜視図を示してある。該ケース２の上端面には、切り欠き部２７が形成されており、該切り欠き部２７を持って両側に開くことによって、該ケース２は、接合面２８から分割されて開くことができる。
【００３３】
これらケース２とシート材１２との間には、例えば、ケース２内に収納するＣＤ、ＤＶＤ等のディスクまたはビデオテープ等の収納物のジャケットや説明書を収納することができるため、ケース２内に収納した収納物の内容が容易に解るようにできるのである。
【００３４】
そのため、シート材１２は、透明なシート材であることが好ましいが、これに限定されるものではなく、例えば、一部が透明なシート材、薄い色が着色されたシート材または着色されたシート材等も含むものである。
【図面の簡単な説明】
【００３５】
【図１】本考案の実施の形態に係るシート材シール装置を略示的に示した平面図である。
【図２】同シート材シール装置の要部のみを拡大し略示的に示した斜視図である。
【図３】同シート材シール装置の動作を説明する略示的な説明図であり、ケースとシート材とがシール位置に配設されたところを示した側面図である。
【図４】同シート材シール装置の動作を説明する略示的な説明図であり、ケースとシート材とが押し込み開口部に押し込められたところを示した側面図である。
【図５】同シート材シール装置の動作を説明する略示的な説明図であり、ケースにシート材を融着してシールしているところを示した側面図である。
【図６】同シート材シール装置の動作を説明する略示的な説明図であり、突き出し手段でケースを突き出しているところを示した側面図である。
【図７】同シート材シール装置でシールされたケースを略示的に示した斜視図である。
【符号の説明】
【００３６】
１  シート材シール装置
２  ケース
３  ケース供給手段
４  移送手段
５  レール
６  ガイド部
７  テーブル面
８  シール位置
９  吸引パッド
１０  モーター
１１  モーターの回転軸
１２  シート材
１３  シール材供給手段
１４  シート材搬送ローラー
１４ａ  ダンシングローラー
１５  シート材定寸送りローラー
１６  カッター
１７  弛み防止板
１８  押し込み開口部
１９  押し込み手段
２０  支持部材
２１  シール用ヒーター
２２  押さえ手段
２３  弛み防止補助手段
２４  突き出し手段
２５  弾性体
２６  シート材の両端部
２７  切り欠き部
２８  接合面
【図１】
0003101221.tif 000003
【図２】
0003101221.tif 000004
【図３】
0003101221.tif 000005
【図４】
0003101221.tif 000006
【図５】
0003101221.tif 000007
【図６】
0003101221.tif 000008
【図７】
0003101221.tif 000009